(57)【要約】      （修正有）【課題】複合式カーソル入力方法の提供。【解決手段】複合式カーソル入力方法は、少なくとも二個の不等比例移動し、少なくとも以下のステップ（１）モニター１４上のカーソル１４１位置を取得する、（２）変位信号を取得する、（３）変位量を合わせて計算する、（４）モニター１４上のカーソル１４１を移動する、を含む。【選択図】図１
2007287092.tif 000002
【特許請求の範囲】
【請求項１】
複合式カーソル入力方法は、少なくとも
（１）モニター上のカーソル位置を取得し、
（２）変位信号を取得し、
（３）変位量を合わせて計算し、
（４）モニター上のカーソルを移動する、
上記ステップを含むことを特徴とする複合式カーソル入力方法。
【請求項２】
前記変位量を合わせて計算するは、第一、第二カーソルコントロールパネルの変位信号に基づき、その変位信号は、第一カーソルコントロールパネルからシークして変位した第一変位信号を取得し、また第二カーソルコントロールパネルからシークして変位した第二変位信号を取得することを含むことを特徴とする請求項１記載の複合式カーソル入力方法。
【請求項３】
前記変位信号は、第三カーソルコントロールパネルからシークし、変位した変位信号を取得することを含むことを特徴とする請求項１記載の複合式カーソル入力方法。
【請求項４】
前記変位量を合わせて計算するは、第一変位信号及び第二変位信号に基づき、絶対座標値で合わせて計算し、そのカーソルの変位量を算出することを特徴とする請求項２記載の複合式カーソル入力方法。
【請求項５】
前記変位量を合わせて計算するは、第一変位信号及び第二変位信号は、相対座標値でそのカーソルの変位量を合わせて計算することを特徴とする請求項２記載の複合式カーソル入力方法。
【請求項６】
前記変位量を合わせて計算するは、第一変位信号が絶対座標値を採用し、第二変位信号が相対座標値の混合計算を採用してそのカーソルの変位量を算出することを特徴とする請求項２記載の複合式カーソル入力方法。
【請求項７】
前記複合式カーソル入力方法は、表示するデータがモニター本体より大きい、即ちモニターが一部データだけを表示する時には、第一、第二変位信号内で、少なくともひとつの変位信号を有し、その表示データの部位を移動できることを特徴とする請求項２記載の複合式カーソル入力方法。
【発明の詳細な説明】
【技術分野】
【０００１】
本発明は、複合式カーソル入力方法に関するもので、少なくとも二個の不等比例移動するカーソルの複合式入力方法である。
【背景技術】
【０００２】
コンピュータは日々進歩しており、ほとんどはウインドウズから選択し、マウスでカーソルを移動する。小型を追求するノート型パソコンではタッチコントロール板を採用し、マウスに代わってカーソルをコントロールし、ユーザにスピーディな移動ができるよう設定している。
【０００３】
ノート型パソコンは、従来のマウスの体積及び連接コードの不便を取り除き、通常はタッチコントロール板をマウスの代わりをする。しかし、操作及び携帯が便利なように、このタッチコントロール板の面積は小さく、そのため設計上、タッチコントロール板での座標解析はモニター座標より拡大しており、タッチコントロール板を指が小距離を移動するだけで、モニター上のカーソル移動が大きく移動し、このためカーソルをモニター上のすべての位置に移動できる。解決しようとする問題点は、タッチコントロール板の座標がモニター座標に比較して大きすぎると解析すると、ユーザが求める場所にカーソル移動させるのは困難になる。反対にタッチコントロール板の座標がモニター座標に比較して小さすぎると解析すると、カーソルの反応は遅すぎ、モニター上のカーソルを動かすために手で何度もタッチコントロール板を滑らなければならないため、使用における便利度が下がってしまう点である。
【発明の開示】
【発明が解決しようとする課題】
【０００４】
本発明の目的は、複合式カーソル入力方法を提供することで、少なくとも二個のカーソルコントロールパネルで、不等比例の複合入力を作り、モニター上のカーソル移動を制御する。その方法は少なくとも以下のステップ（１）モニター上のカーソル位置を取得する、（２）変位信号を取得する、（３）変位量を合わせて計算する、（４）モニター上のカーソルを移動する、を含み、上述のステップでスピーディにカーソルの移動を行う。
【０００５】
上述の本発明の変位信号は、少なくとも第一カーソルコントロールパネルから指が変位した第一変位信号をシークして取得し、第二カーソルコントロールパネルから指が変位した第三変位信号をシークして取得する。
【０００６】
上述の本発明の第一カーソルコントロールパネルの第一変位信号の座標はモニター座標に対応する比例を解析し、第二カーソルコントロールパネルの第二変位信号の座標よりはるかに大きく、モニターに対応する座標の比例を解析する。
【課題を解決するための手段】
【０００７】
請求項１の発明は、複合式カーソル入力方法は、少なくとも
（１）モニター上のカーソル位置を取得し、
（２）変位信号を取得し、
（３）変位量を合わせて計算し、
（４）モニター上のカーソルを移動する、
上記ステップを含むことを特徴とする複合式カーソル入力方法としている。
請求項２の発明は、前記変位量を合わせて計算するは、第一、第二カーソルコントロールパネルの変位信号に基づき、その変位信号は、第一カーソルコントロールパネルからシークして変位した第一変位信号を取得し、また第二カーソルコントロールパネルからシークして変位した第二変位信号を取得することを含むことを特徴とする請求項１記載の複合式カーソル入力方法としている。
請求項３の発明は、前記変位信号は、第三カーソルコントロールパネルからシークし、変位した変位信号を取得することを含むことを特徴とする請求項１記載の複合式カーソル入力方法としている。
請求項４の発明は、前記変位量を合わせて計算するは、第一変位信号及び第二変位信号に基づき、絶対座標値で合わせて計算し、そのカーソルの変位量を算出することを特徴とする請求項２記載の複合式カーソル入力方法としている。
請求項５の発明は、前記変位量を合わせて計算するは、第一変位信号及び第二変位信号は、相対座標値でそのカーソルの変位量を合わせて計算することを特徴とする請求項２記載の複合式カーソル入力方法としている。
請求項６の発明は、前記変位量を合わせて計算するは、第一変位信号が絶対座標値を採用し、第二変位信号が相対座標値の混合計算を採用してそのカーソルの変位量を算出することを特徴とする請求項２記載の複合式カーソル入力方法としている。
請求項７の発明は、前記複合式カーソル入力方法は、表示するデータがモニター本体より大きい、即ちモニターが一部データだけを表示する時には、第一、第二変位信号内で、少なくともひとつの変位信号を有し、その表示データの部位を移動できることを特徴とする請求項２記載の複合式カーソル入力方法としている。
【発明の効果】
【０００８】
本発明の複合式カーソル入力方法は、スピーディにカーソル移動を行うという利点がある。
【発明を実施するための最良の形態】
【０００９】
図１は、本発明の複合式カーソル入力装置で、そのうち、この入力装置１は少なくとも第一カーソルコントロールパネル１２及び第二カーソルコントロールパネル１３を含む。また第一、第二カーソルコントロールパネル１２，１３は基台１０上の指が接触する表面１１に設置し、モニター１４のカーソル１４１移動を制御する。
【００１０】
図２は、本発明の第一カーソルコントロールパネル１２、第二カーソルコントロールパネル１３の表面１２０、１３０がタッチコントロール式のパネルであり、それは電気抵抗式感知パネル、もしくはコンデンサー式センサーパネルで、指の接触を感知して変位信号を発する。第一カーソルコントロールパネル１２、第二カーソルコントロールパネル１３は更に圧力スイッチ１２１（１３１）を含み、それが指が押す圧力をシークして入力の確認キーとする。
【００１１】
上述の本発明の第一カーソルコントロールパネル１２、第二カーソルコントロールパネル１３の表面１２０、１３０は更に少なくともひとつの指が触れられるタグＧを設置して指が位置を確認できるようにする。このタグＧには凹凸点を設置してもよいし、指が接触した時に触感で位置を知ることができる各種紋でもよい。
【００１２】
また上述の第一カーソルコントロールパネル１２、第二カーソルコントロールパネル１３は、少なくともひとつの押しボタン１５によって制御され、マウスのすべての機能を具えるか、モジュールを切り換えて使用することもできる。
【００１３】
図３は、本発明の入力方法で、少なくとも以下のステップを含む（同時に図４、５を参照）、
（１）モニター上のカーソル位置を取得する（ステップ３１）。メインコンピュータ２内で現在のモニター１４上のカーソル１４１位置ｅを０点とし、これを起点とする、
（２）変位信号を取得する（ステップ３２）。第一、第二カーソルコントロールパネル１２、１３は各々指変位の第一変位信号、第二変位信号を取得する。即ち第一変位信号とは、第一カーソルコントロールパネル１２上で指がｄ１点からｄ２点移動して発生したもので、第二変位信号とは、第二カーソルコントロールパネル１３上で指がｃ１からｃ２へ移動して発生したものである、
（３）変位量を合わせて計算する（ステップ３３）。第一、第二変位信号を合わせて計算してカーソル変位量を算出する、
（４）モニター上のカーソルを移動する（ステップ３４）。計算して出したカーソル変位量に基づき、モニター１４上で対応して移動するカーソル１４１を新位置へ移動させる。例えば第一変位信号に対応するカーソル１４１はｅ０点からｅ１点へ移動する。また第二変位信号に対応するカーソル１４１はｅ１からｅ２の新位置へ移動する。
【００１４】
上述の本発明の入力方法である変位量を合わせて計算する（ステップ３３）は、絶対座標値でそのカーソル１４１の変位量を計算する。例として第一カーソルコントロールパネル１２上において、指がｄ１点からｄ２点まで移動し、そのｄ２点の座標位置は（Ｘ１，Ｙ１）とする。また第二カーソルコントロールパネル１３において、指がｃ１点からｃ２点の座標位置である（Ｘ２，Ｙ２）まで移動し、絶対座標値で算出したカーソル変位量をＡ・（Ｘ１，Ｙ１）＋Ｂ・（Ｘ２，Ｙ２）とする。そのうちＡ、Ｂは常数とする。更にＡ値はＢ値より大きく、Ａ、Ｂ値がその値の大小を調整して設定する。操作時、第一カーソルコントロールパネル１２がカーソル１４１の移動を制御し、指が第一カーソルコントロールパネル１２上のｄ２点がある位置の単ブロック１２ａまで移動する（図６中の点線は仮想双線）ことができ、直接カーソル１４１に対応してモニター１４上の大単ブロック１４ａ内のｅ１点まで移動する。また、第二カーソルコントロールパネル１３が制御するカーソル１４１の大単ブロック１４１の移動は、指が第二カーソルコントロールパネル１３上のｃ２点の所在位置の単ブロック１３ｃまで移動し、直接カーソル１４１に対応してモニター１４上の大単ブロック１４ａ内の小単ブロック１４ａｃ上にあるｅ２点まで移動する。
【００１５】
上述の本発明の入力方法である変位量を合わせて計算する（ステップ３３）は、相対座標値でそのカーソル１４１の変位量を計算する。例として第一カーソルコントロールパネル１２上において、指がｄ１点の座標位置である（Ｘ１°，Ｙ１°）からｄ２点の座標位置である（Ｘ１，Ｙ１）へ移動し、また第二カーソルコントロールパネル１３上において、指がｃ１点の座標位置である（Ｘ２°，Ｙ２°）からｃ２点の座標位置である（Ｘ２，Ｙ２）まで移動し、相対座標値が算出したカーソル変位量である、Ａ・（Ｘ１−Ｘ１°，Ｙ１−Ｙ１°）＋Ｂ・（Ｘ２−Ｘ２°，Ｙ２−Ｙ２°）を採用する。そのうち、Ａ、Ｂは常数で、且つＡ値はＢ値より大きく、Ａ、Ｂ値はその値の大小を設定調節できる。このようにして第一カーソルコントロールパネル１２によってカーソル１４１の移動を制御し（図４参照）、指が第一カーソルコントロールパネル１２上のｄ１点をｄ２点の段距離ｆに対応するモニター１４上のカーソル１４１へ移動し、ｅ０点からｅ１点の大段距離Ｆ１まで移動する。そのうちＡ・ｆ１＝Ｆ１である。また第二カーソルコントロールパネル１３が制御するカーソル１４１の移動は、指が第二カーソルコントロールパネル１３上のｃ１点からｃ２点の段距離ｆに対応するモニター１４上のカーソル１４１へ移動し、ｅ１点からｅ２点の小段距離Ｆ２へ移動し、そのうち、Ｂ・ｆ２＝Ｆ２である。
【００１６】
上述の本発明の入力方法の変位量を合わせて計算する（ステップ３３）は、相対座標値と絶対座標値の混合計算を採用し、そのカーソル１４１の変位量を計算する。即ち第一カーソルコントロールパネル１２の変位は、絶対座標値で計算し、第二カーソルコントロールパネル１３の変位は、相対座標で計算する。例として第一カーソルコントロールパネル１２上において、指がｄ１点からｄ２点へ移動し、そのｄ２点の座標位置は（Ｘ１，Ｙ１）であり絶対座標値を採用する。また第二カーソルコントロールパネル１３上において、指がｃ１点の座標位置である（Ｘ２°，Ｙ２°）からｃ２点の座標位置である（Ｘ２，Ｙ２）へ移動して相対座標値を採用し、その算出したカーソル変位は、Ａ・（Ｘ１，Ｙ１）＋（Ｘ２−Ｘ２°，Ｙ２−Ｙ２°）であり、そのうち、Ａ、Ｂは常数で、且つＡ値はＢ値より大きく、Ａ、Ｂ値はその値の大小を設定調節できる。このように第一カーソルコントロールパネル１２によるカーソルの移動は（図７参照）、指が第一カーソルコントロールパネル１２のｄ２点に所在する単ブロック１２ａは、直接カーソル１４１に対応してモニター１４上の大単ブロック１４ａ内のｅ１点まで移動し、また第二カーソルコントロールパネル１３が制御するカーソル１４１の移動は、指がｃ１点からｃ２点の段距離ｆ２まで移動して、モニター１４上に対応するカーソル１４１がｅ１点からｅ２点の小段距離Ｆ２まで移動する。そのうちＢ・ｆ２＝Ｆ２である。
【００１７】
図８、９に示すとおり、上述の変位量を合わせて計算する（ステップ３３）は、絶対座標値で計算する実施例で、単一文書の画面１４０がモニター１４上に表示されない時（即ちデータがモニター本体より大きく、一部のデータしか表示されない時）、この状況はブラウザホームページ上で発生するが、またはＰＤＡ等小さいモニター上でホームページを見る時、または文書全体の画面１４０が完全に表示できない時、第一、第二カーソルコントロールパネル１２，１３を選択して文書画面１４０面積と同じであると設定し、絶対座標値の計算方式を採用する。指が第一、第二カーソルコントロールパネル１２，１３を選択し（この場合第一カーソルコントロールパネル選択を例とする）、第一カーソルコントロールパネル１２上において、指がｄ３点（ｄ４点）の第一変位信号まで移動し、モニター１４上で対応表示した局部単ブロック１４０’（１４０’’）の局部画面をスピーディに文書閲覧する。または第三カーソルコントロールパネル１５を増設し（図８図１０参照）、上述の局部画面移動の動作得る。即ち第三カーソルコントロールパネル１５上において指がｄ５点（ｄ６点）の第三変位信号まで移動し、モニター１４上で対応し、局部単ブロック１４０’（１４０’’）の画面を表示する。
【図面の簡単な説明】
【００１８】
【図１】本発明の入力装置実施例図である。
【図２】本発明第一、第二カーソルコントロールパネルの立体図である。
【図３】本発明の入力方法のフローチャートである。
【図４】本発明カーソル移動を制御する操作図（一）である。
【図５】本発明作動ブロックダイアグラム表示図である。
【図６】本発明のカーソル移動を制御する操作図（二）である。
【図７】本発明のカーソル移動を制御する操作図（三）である。
【図８】本発明のカーソル移動を制御する操作図（四）である。
【図９】本発明の局部画面実施例図（一）である。
【図１０】本発明の局部画面実施例図（二）である。
【符号の説明】
【００１９】
１  入力装置
１０  基台
１１  表面
１２  第一カーソルコントロールパネル
１２ａ  単ブロック
１２０  表面
１２１  圧力スイッチ
１３  第二カーソルコントロールパネル
１３ｃ  単ブロック
１３０  表面
１３１  圧力スイッチ
１４    モニター
１４ａ  大単ブロック
１４ａｃ  小単ブロック
１４０  画面
１４０’  局部単ブロック
１４０’’  局部単ブロック
１４１  カーソル
１５  第三カーソルコントロールパネル
２  ホストコンピュータ
３  入力方法
ｄ１、ｄ２、ｄ３、ｄ４、ｄ５、ｄ６、ｃ１、ｃ２  指の移動点
ｅ０、ｅ１、ｅ２  カーソル移動点
ｆ１、ｆ２  段距離
Ｆ１  大段距離
Ｆ２  小段距離
【図１】
2007287092.tif 000003
【図２】
2007287092.tif 000004
【図３】
2007287092.tif 000005
【図４】
2007287092.tif 000006
【図５】
2007287092.tif 000007
【図６】
2007287092.tif 000008
【図７】
2007287092.tif 000009
【図８】
2007287092.tif 000010
【図９】
2007287092.tif 000011
【図１０】
2007287092.tif 000012